(57)【特許請求の範囲】
【請求項１】
枠部材の内周に設けた開口溝で面材の外周縁部を支持した建具であって、
前記枠部材は、前記開口溝の底壁部の裏面側に配設された第１補強材と、該第１補強材の見込み方向一方側に配設された第２補強材と、前記開口溝内で前記面材の外周縁部を保持し、前記第１補強材と連結された面材保持金具とが設けられ、
前記第１補強材の前記開口溝の底壁部側に位置した面材側部位と、前記第２補強材との間を補強金具で繋いだものであり、
前記枠部材は、前記第１補強材が挿入された第１中空部と、前記第２補強材が挿入された第２中空部とを備え、
前記補強金具は、前記第１中空部と前記第２中空部との間を仕切る壁部に形成された開口を通して前記第１補強材と前記第２補強材との間を繋いでいることを特徴とする建具。
【請求項２】
枠部材の内周に設けた開口溝で面材の外周縁部を支持した建具であって、
前記枠部材は、前記開口溝の底壁部の裏面側に配設された第１補強材と、該第１補強材の見込み方向一方側に配設された第２補強材と、前記開口溝内で前記面材の外周縁部を保持し、前記第１補強材と連結された面材保持金具とが設けられ、
前記第１補強材の前記開口溝の底壁部側に位置した面材側部位と、前記第２補強材との間を補強金具で繋いだものであり、
前記補強金具は、一端部が前記第１補強材の面材側部位に締結固定され、他端部が前記第２補強材に係合支持されていることを特徴とする建具。
【請求項３】
請求項２記載の建具において、
前記枠部材は、前記第１補強材が挿入された第１中空部と、前記第２補強材が挿入された第２中空部とを備え、
前記補強金具は、前記第１中空部と前記第２中空部との間を仕切る壁部に形成された開口を通して前記第１補強材と前記第２補強材との間を繋いでいることを特徴とする建具。
【請求項４】
請求項２又は３記載の建具において、
前記補強金具は、前記一端部が前記第１補強材の面材側部位における前記開口溝の底壁部に対向する面に対して締結固定され、前記他端部が前記第２補強材に形成された係合孔を通して該第２補強材における前記開口溝側の面の裏面に当接支持されていることを特徴とする建具。
【請求項５】
請求項４記載の建具において、
前記補強金具は、前記一端部と前記他端部との間が屈曲された金属板であることを特徴とする建具。
【請求項６】
請求項１〜５のいずれか１項に記載の建具において、
前記枠部材は、上下の横材と左右の縦材とを枠組みした構成であり、
前記横材と前記縦材とで前記開口溝の長さが異なる場合に、前記補強金具は少なくとも前記横材及び前記縦材のうちで前記開口溝が長い一方に配設されていることを特徴とする建具。
【発明の詳細な説明】
【技術分野】
【０００１】
本発明は、枠部材で面材を支持した建具に関する。
【背景技術】
【０００２】
例えば引違い窓やすべり出し窓等の建具では、框体の内周面に形成された開口溝でガラス板等の面材の外周縁部を支持した障子を建物の躯体に固定した枠体の内側で開閉可能に支持した構成が用いられている。また、開閉しない嵌め殺し窓等の建具では、障子を枠体の内側に嵌め殺した構成や、建物の躯体に固定した枠体の内周面に形成された開口溝で面材を支持した構成が用いられている。
【０００３】
この種の建具を防火対応とする場合は、火災時に一定時間以上閉塞状態を確保し、室内外での火炎や熱の通過を防止できる防火性能が求められる。ところが、多くの窓用の框体や枠体に用いられているアルミニウムは、高温に長時間晒された際に軟化或いは溶融する。このため、ガラス板の周縁部を収容支持する開口溝が軟化した場合は面材が面外方向に落下し、大きな貫通孔が形成される可能性があった。また、近年多く普及してきている樹脂製の框体や枠体では、火災時の面材の落下がより発生し易い。
【０００４】
この問題を解消するため、従来より框体や枠体の開口溝にスチールやステンレス等の耐熱性の高い金属製の面材保持金具を配置することが行われている。例えば特許文献１の構成では、この面材保持金具と框体の中空部に挿入したスチール製の補強材とをねじ止めすることで、防火性能の向上を図っている。
【先行技術文献】
【特許文献】
【０００５】
【特許文献１】特開２０１５−７４９０９号公報
【発明の概要】
【発明が解決しようとする課題】
【０００６】
ところで、このような建具が火災等の高温に晒された場合、例えば耐熱強化ガラス等で構成された面材はその中央付近が膨らむように反り変形することがある。そうすると、上記特許文献１の構成では面材の外周縁部を保持している面材保持金具に回転方向の力が付与される。そして、この状態で框体が軟化した場合、その中空部内に挿入された補強材が面材保持金具と共に回転し、結果として面材保持金具で面材を保持しておくことができなくなる懸念がある。
【０００７】
本発明は、上記従来技術の課題を考慮してなされたものであり、高い防火性能を確保することができる建具を提供することを目的とする。
【課題を解決するための手段】
【０００８】
本発明に係る建具は、枠部材の内周に設けた開口溝で面材の外周縁部を支持した建具であって、前記枠部材は、前記開口溝の底壁部の裏面側に配設された第１補強材と、該第１補強材の見込み方向一方側に配設された第２補強材と、前記開口溝内で前記面材の外周縁部を保持し、前記第１補強材と連結された面材保持金具とが設けられ、前記第１補強材の前記開口溝の底壁部側に位置した面材側部位と、前記第２補強材との間を補強金具で繋いだことを特徴とする。
【０００９】
このような構成によれば、補強金具で第１補強材の面材側部位と第２補強材とを繋いでいる。このため、例えば当該建具が火災に晒されて面材が反り変形し、面材保持金具と共に第１補強材が回転しようとした場合であっても、この回転が補強金具によって規制される。すなわち、第１補強材と共に補強金具に回転力が付与されたとしても、補強金具は第１及び第２補強材間に繋がっており且つ第１補強材に対しては開口溝側の面材側部位に連結されているため回転することが防止される。その結果、第１補強材及び面材保持金具の回転も規制されるため、面材の脱落を防止することができ、高い防火性能を確保できる。
【００１０】
本発明に係る建具において、前記枠部材は、前記第１補強材が挿入された第１中空部と、前記第２補強材が挿入された第２中空部とを備え、前記補強金具は、前記第１中空部と前記第２中空部との間を仕切る壁部に形成された開口を通して前記第１補強材と前記第２補強材との間を繋いだ構成であってもよい。そうすると、例えば第１中空部が室外側に配置され、第２中空部が室内側に配置された構成で、当該建具の室外側が火災の高温に晒された場合に、火災から遠位側の第２中空部付近の温度はあまり上昇せず、その形状が比較的長時間保持される。このため、この第２中空部内の第２補強材は長時間にわたって位置決め保持された状態となるため、補強金具を安定して保持しておくことができる。
【００１１】
本発明に係る建具において、前記補強金具は、一端部が前記第１補強材の面材側部位に締結固定され、他端部が前記第２補強材に係合支持された構成であってもよい。そうすると、補強金具による第１補強材の回転防止効果を確保しつつ、補強金具を第２補強材に対して容易に設置でき、作業性が向上する。
【００１２】
本発明に係る建具において、前記補強金具は、前記一端部が前記第１補強材の面材側部位における前記開口溝の底壁部に対向する面に対して締結固定され、前記他端部が前記第２補強材に形成された係合孔を通して該第２補強材における前記開口溝側の面の裏面に当接支持された構成であってもよい。そうすると、面材の反り変形時の第１補強材の回転を補強金具でより確実に防止できる。
【００１３】
本発明に係る建具において、前記補強金具は、前記一端部と前記他端部との間が屈曲された金属板で構成されてもよい。そうすると、他端部をより確実に第２補強材に係合させることができる。
【００１４】
本発明に係る建具において、前記枠部材は、上下の横材と左右の縦材とを枠組みした構成であり、前記横材と前記縦材とで前記開口溝の長さが異なる場合に、前記補強金具は少なくとも前記横材及び前記縦材のうちで前記開口溝が長い一方に配設された構成であってもよい。そうすると、面材の反り変形の影響が大きな横材又は縦材での面材の脱落をより確実に防止できる。
【発明の効果】
【００１５】
本発明によれば、当該建具が火災に晒された場合であっても面材の脱落を防止することができ、高い防火性能を確保できる。
【図面の簡単な説明】
【００１６】
【図１】図１は、本発明の一実施形態に係る建具の縦断面図である。
【図２】図２は、図１に示す建具の横断面図である。
【図３】図３は、一方の縦框を拡大した横断面図である。
【図４】図４は、補強金具の構成図であり、図４（Ａ）は、側面図であり、図４（Ｂ）は、正面図である。
【図５】図５は、一方の縦框の構成図であり、図５（Ａ）は、正面図であり、図５（Ｂ）は、図５（Ａ）中のＶＢ−ＶＢ線に沿う断面図であり、図５（Ｃ）は、側面図であり、図５（Ｄ）は、図５（Ｂ）中のＶＤ−ＶＤ線に沿う断面図である。
【図６】図６は、一方の補強材の構成図であり、図６（Ａ）は、正面図であり、図６（Ｂ）は、図６（Ａ）中のＶＩＢ−ＶＩＢ線に沿う断面図である。
【図７】図７は、補強金具の設置手順の一例を示す動作図であり、図７（Ａ）は、補強金具を設置する直前の状態を示す図であり、図７（Ｂ）は、補強金具の他端部を框体の内部に挿入した状態を示す図であり、図７（Ｃ）は、補強金具を框体の内部に配置した状態を示す図である。
【図８】図８は、補強金具を縦框に設置した状態を示す要部拡大斜視図である。
【図９】図９は、補強金具を設置しない構成での面材の反り変形を示した説明図である。
【図１０】図１０は、変形例に係る補強金具の構成図であり、図１０（Ａ）は、側面図であり、図１０（Ｂ）は、正面図である。
【図１１】図１１は、図１０に示す補強金具を設置した一方の縦框を拡大した横断面図である。
【発明を実施するための形態】
【００１７】
以下、本発明に係る建具について好適な実施の形態を挙げ、添付の図面を参照しながら詳細に説明する。
【００１８】
図１は、本発明の一実施形態に係る建具１０の縦断面図であり、図２は、図１に示す建具１０の横断面図である。建具１０は、建物の躯体１２の開口部１２ａに固定される開口枠１４と、開口枠１４の内側に開閉可能に支持された障子１６とを備える。障子１６の室内側には網戸１７が設けられている。本実施形態では、障子１６を縦長形状の開口枠１４の見込み方向室外側へと縦すべり出し可能に組み付けた縦すべり出し窓の建具１０を例示する。
【００１９】
図１及び図２に示すように、開口枠１４は、上枠（横材）１４ａ、下枠（横材）１４ｂ及び左右の縦枠（縦材）１４ｃ，１４ｄを四周枠組みすることで矩形の開口部を形成したものである。上枠１４ａ、下枠１４ｂ及び縦枠１４ｃ，１４ｄは、塩化ビニル樹脂（ＰＶＣ）等の樹脂の押出形材である。各枠１４ａ〜１４ｄは、アルミニウム等の金属の押出形材で構成されてもよく、樹脂要素と金属要素を併用した複合構造でもよい。各枠１４ａ〜１４ｄは、それぞれくぎやねじ等の固定具１５を用いて躯体１２に固定される。
【００２０】
上枠１４ａは、見込み面に障子１６が配置される障子配置部１８が設けられ、障子配置部１８の室内側に内方へと突出した突出部２０が設けられている。突出部２０は、その室外側見付け面が障子１６の戸当たりとなる。障子配置部１８及び突出部２０は、下枠１４ｂ及び縦枠１４ｃ，１４ｄにも設けられている。下枠１４ｂの突出部２０には、障子１６を開閉操作する際に操作するオペレータハンドル２１が配設されている。
【００２１】
各枠１４ａ〜１４ｄの適宜の中空部には、その長手方向に沿って延在した補強材２２が挿入されている。補強材２２は、断面略コ字状等に形成されたスチール等の金属板である。上枠１４ａ及び縦枠１４ｃ，１４ｄの補強材２２の表面には、熱膨張性部材２３が適宜配設されている。熱膨張性部材２３は熱により膨張する不燃性又は難燃性の部材であり、例えば熱膨張性の黒鉛含有の発泡材である。
【００２２】
図１及び図２に示すように、障子１６は、上框（横材）２４ａ、下框（横材）２４ｂ及び左右の縦框（縦材）２４ｃ，２４ｄを框組みすることで矩形の開口部を形成した框体（枠部材）２４と、框体２４の内周に配設された複層ガラス（面材）２６とを有する。
【００２３】
なお、本出願において、見込み方向とは建具１０の室内外方向（図中に矢印Ｚで示す方向）をいい、見込み面とは見込み方向に沿って延在する平面をいう。また、見付け方向とは見込み方向に直交する方向であり、上下方向に長尺な縦枠１４ｃ，１４ｄ及び縦框２４ｃ，２４ｄ等の場合はその長手方向である上下方向（図中に矢印Ｙで示す方向）をいい、左右方向に長尺な上枠１４ａ、下枠１４ｂ、上框２４ａ及び下框２４ｂ等の場合はその長手方向である左右方向（図中に矢印Ｘで示す方向）をいう。さらに、見付け面とは見付け方向に沿った平面をいう。
【００２４】
複層ガラス２６は、スペーサ２７を介して一対のガラス板２６ａ，２６ｂを互いに間隔を隔てて対面配置した２層構造である。本実施形態の場合、少なくとも室外側に配置されるガラス板２６ａを防火ガラスである網入りの厚板ガラスとし、室内側に配置されるガラス板２６ｂをフロートガラス等の薄板ガラスとしている。室外側の防火ガラスは網入り構造以外の耐熱強化ガラス等、火災等の火炎や熱に一定時間以上耐え得る防火性能を有するものであればよい。ガラス板２６ａ，２６ｂのうち、一方又は両方を耐熱性を持った樹脂パネル等で構成してもよい。複層ガラス２６は３層以上のガラス板や樹脂パネルを積層した構造であってもよい。
【００２５】
上框２４ａ、下框２４ｂ及び縦框２４ｃ，２４ｄは、塩化ビニル樹脂（ＰＶＣ）等の樹脂の押出形材である。各框２４ａ〜２４ｄは、アルミニウム等の金属の押出形材で構成されてもよく、樹脂要素と金属要素を併用した複合構造でもよい。
【００２６】
上框２４ａは、見込み方向に並んだ２つの中空部２８，２９を有する。上框２４ａは、内側見込み面に複層ガラス２６の上縁部が配置される開口溝３０が設けられ、内側見込み面とは反対側の外側見込み面に上方へと突出した突出片３２が設けられている。
【００２７】
中空部２８，２９には、それぞれその長手方向に沿って延在した補強材３４，３５が挿入されている。補強材３４は、断面略コ字状に形成されたスチール等の金属板である。補強材３５は、断面略コ字状であって対向する２辺のうちの１辺が外側に開いた傾斜形状を有する。補強材３４，３５の表面には、熱膨張性部材２３が適宜配設されている。また、補強材３４，３５には、上框２４ａと上枠１４ａとの間を連結するアーム３７がねじ止め固定される。補強材３４，３５は、不燃性又は難燃性の材料によって形成されていればよく、スチール以外であってもよい。
【００２８】
開口溝３０は、底壁部が中空部２８の下壁によって形成され、室内側の側壁部が中空部２９の側壁によって形成され、室外側の側壁部が上框２４ａに装着された押縁３６によって形成されている。開口溝３０は、複層ガラス２６の上縁部を収容支持する部分であり、その底部には複層ガラス２６の上縁部を保持する面材保持金具３８が配置されている。面材保持金具３８は、例えば断面略コ字状に形成されたスチール等の金属板である。面材保持金具３８は、開口溝３０の底壁部を通した連結ねじ３９によって中空部２８内の補強材３４と連結されている。
【００２９】
下框２４ｂは、上框２４ａと同形状で上下線対称に形成されている。従って、下框２４ｂは、室内外方向に並んだ２つの中空部２８，２９を有し、内側見込み面に複層ガラス２６の下縁部が配置される開口溝３０が設けられ、内側見込み面とは反対側の外側見込み面に上方へと突出した突出片３２が設けられている。下框２４ｂの室外側の中空部２８には補強材３４が挿入され、面材保持金具３８と連結ねじ３９によって連結されている。下框２４ｂの補強材３４には、下框２４ｂと下枠１４ｂとの間を連結するアーム３７がねじ止め固定される。また、下框２４ｂには、オペレータハンドル２１からの操作アーム４０がねじ止め固定される。
【００３０】
縦框２４ｃ，２４ｄは、互いに左右線対称に形成されており、上框２４ａと同形状である。縦框２４ｃ，２４ｄは、室内外方向に並んだ２つの中空部２８，２９を有し、内側見込み面に複層ガラス２６の上縁部が配置される開口溝３０が設けられ、内側見込み面とは反対側の外側見込み面に内方へと突出した突出片３２が設けられている。
【００３１】
縦框２４ｃ，２４ｄの中空部２８，２９には、それぞれその長手方向に沿って延在した補強材４２，４３が挿入されている。補強材（第１補強材）４２は、断面略コ字状に形成されたスチール等の金属板である。補強材（第２補強材）４３は、断面略コ字状であって対向する２辺のうちの１辺が外側に開いた傾斜形状を有する。補強材４２，４３の表面には、熱膨張性部材２３が適宜配設されている。縦框２４ｃ，２４ｄの室外側の中空部２８に挿入された補強材４２は、開口溝３０に配置された面材保持金具３８と連結ねじ３９によって連結されている。補強材４２，４３は、不燃性又は難燃性の材料によって形成されていればよく、スチール以外であってもよい。
【００３２】
吊元側の縦框２４ｃの外側見込み面には引寄せ金具４４が取り付けられている。引寄せ金具４４は、スチール等の薄い金属板を略Ｕ字状に形成すると共に一部に略三角形状の突出部を設けた構成である。引寄せ金具４４は、障子１６を閉じた際に縦枠１４ｃ側の係止金具４５に係止されることで障子１６を適正な閉じ位置に引き寄せるものである。引寄せ金具４４は、そのＵ字の２辺がそれぞれ中空部２８，２９の外壁を通した連結ねじ４６によって補強材４２，４３と連結されている。
【００３３】
戸先側の縦框２４ｄの外側見込み面には、縦枠１４ｄの内側見込み面に設けられたロック装置４７にロックされるロック金具４８が取り付けられている。ロック金具４８は、スチール等の金属板にロック装置４７に係合する突出片を設けた構成である。ロック金具４８は、障子１６を閉じた際に縦枠１４ｄ側のロック装置４７にロックされることで障子１６を適正な閉じ位置にロックするものである。ロック金具４８は、中空部２８，２９の外壁を通した連結ねじ４６によって補強材４２，４３と連結されている。
【００３４】
図２に示すように、これら縦框２４ｃ，２４ｄには、２つの中空部２８，２９間に亘る補強金具５０がそれぞれ配設されている。補強金具５０は、２つの中空部２８，２９に挿入された補強材４２，４３間を繋ぐことで、火災時等の複層ガラス２６の脱落をより確実に防止するためのものである。
【００３５】
次に、補強金具５０の構成及びその設置構造を説明する。
【００３６】
図３は、一方の縦框２４ｄを拡大した横断面図であり、図４は、補強金具５０の構成図である。また、図５は、一方の縦框２４ｄの構成図であり、図６は、縦框２４ｄの室内側の中空部２９に挿入される補強材４３の構成図である。なお、以下では戸先側の縦框２４ｄでの補強金具５０の設置構造を代表的に説明するが、吊元側の縦框２４ｃの補強金具５０も略同様に設置される。
【００３７】
図４に示すように、補強金具５０は、スチール等の金属板をやや開いたＬ字状に屈曲した部品である。つまり、補強金具５０は、孔部５０ｃが貫通形成された一端部５０ａと他端部５０ｂとの間が直角よりも大きな角度で屈曲された金属板である。補強金具５０は、補強材４２，４３の全長よりも相当に短い長さ寸法を持った部品である。補強金具５０は、複層ガラス２６の反り変形量が大きい縦框２４ｄ（２４ｃ）の長手方向中央付近に設置されるが、複数箇所に設けられてもよい。補強金具５０は、不燃性又は難燃性の材料によって形成されていればよく、スチール以外であってもよい。
【００３８】
図３及び図５（Ａ）〜図５（Ｄ）に示すように、縦框２４ｄは、補強金具５０を中空部２８，２９へと挿入配置するための互いに連通した３つの開口５２ａ，５２ｂ，５２ｃを有する。開口５２ａは、開口溝３０の底壁部となる中空部２８の内側壁に形成され、補強金具５０を挿入可能な幅寸法を有する。開口５２ｂは、中空部２８，２９間を仕切る中空部２８の室内側壁（中空部２９の室外側壁）に形成され、開口５２ａと同一の幅寸法を有する。開口５２ｃは、開口溝３０を形成する中空部２９の室外側壁に形成され、開口５２ａ，５２ｂと同一の幅寸法を有する。
【００３９】
図３に示すように、室外側の中空部２８に挿入される補強材４２は、断面略コ字状に形成されており、室内外方向に延びて互いに対向する突出板部４２ａ，４２ｂと、突出板部４２ａ，４２ｂと直交してこれら突出板部４２ａ，４２ｂ間を繋ぐ連結板部４２ｃとを有する。開口溝３０側に配置される突出板部（面材側部位）４２ａには雌ねじ穴が形成されている。
【００４０】
図３及び図６（Ａ）及び図６（Ｂ）に示すように、室内側の中空部２９に挿入される補強材４３は、見込み方向に沿って設けられ、互いに対向する長さ違いの突出板部４３ａ，４３ｂと、突出板部４３ａ，４３ｂから直交した連結板部４３ｃ，４３ｄと、室内外方向に位置ずれした連結板部４３ｃ，４３ｄ間を繋ぐように室内外方向に対して傾斜した傾斜板部４３ｅとを有する。傾斜板部４３ｅの連結板部４３ｄ側の端部には、補強金具５０を挿入可能な幅寸法を持った係合孔４３ｆが形成されている。
【００４１】
図７は、補強金具５０の設置手順の一例を示す動作図であり、図８は、補強金具５０を縦框２４ｃ（２４ｄ）に設置した状態を示す要部拡大斜視図である。
【００４２】
図７（Ａ）に示すように、補強金具５０の設置前の状態では、縦框２４ｄの中空部２８，２９にそれぞれ補強材４２，４３が挿入されている。補強材４２，４３には、この状態で既にロック金具４８が連結ねじ４６を用いて取付固定されていてもよいし、補強金具５０の設置後にロック金具４８を取り付けるようにしてもよい。なお、吊元側の縦框２４ｃの場合は、補強材４２，４３に連結ねじ４６を用いて引寄せ金具４４が取付固定される。
【００４３】
このような縦框２４ｄ（２４ｃ）に補強金具５０を設置する場合は、先ず、図７（Ａ）及び図７（Ｂ）に示すように補強金具５０の他端部５０ｂ側を開口５２ａ〜５２ｃへと挿入し、他端部５０ｂの先端を補強材４３の係合孔４３ｆに挿入する。続いて図７（Ｂ）及び図７（Ｃ）に示すように他端部５０ｂをさらに係合孔４３ｆへと挿入しつつ、一端部５０ａを開口５２ａに挿入させるように補強金具５０を回転させる。
【００４４】
その結果、図７（Ｃ）及び図８に示すように補強金具５０は、一端部５０ａが開口５２ａ，５２ｂに挿入された状態で室外側の補強材４２の突出板部４３ａの内側見込み面（開口溝３０側の見込み面）と当接配置される。さらに補強金具５０は、他端部５０ｂが係合孔４３ｆを通過した状態で室内側の補強材４３の傾斜板部４３ｅの内面（室内側を向いた面。つまり補強材４２側とは反対側の面）と当接配置される。
【００４５】
そこで、最終的には補強金具５０の一端部５０ａの孔部５０ｃを通して連結ねじ５４を補強材４２の突出板部４２ａの雌ねじ孔に締結固定する。これにより、図３に示すように、補強金具５０は、一端部５０ａが室外側の補強材４２の面材側部位である突出板部４２ａに締結固定され、他端部５０ｂが室内側の補強材４３に係合支持されて補強材４２，４３間を繋ぐように配設される。
【００４６】
以上のように、本実施形態に係る建具１０では、枠部材である框体２４の内周に設けた開口溝３０で複層ガラス２６の外周縁部を支持した構成において、框体２４は、開口溝３０の底壁部の裏面側に配設され、不燃性又は難燃性の材料によって形成された補強材４２と、補強材４２よりも見込み方向室内側に配設され、不燃性又は難燃性の材料によって形成された補強材４３と、補強材４２と連結され、開口溝３０内で複層ガラス２６の外周縁部を保持する面材保持金具３８とが設けられ、補強材４２の開口溝３０側に位置した面材側部位である突出板部４２ａと、補強材４３との間を補強金具５０で繋いでいる。
【００４７】
例えば補強金具５０を設けていない構成で建具１０が室外側からの火災に晒された結果、図９に示すように複層ガラス２６が室外側に反り変形した場合、これを保持する面材保持金具３８に複層ガラス２６からの回転力（図９中で時計方向）が付与される。この際、框体２４が高温によって軟化し或いは溶融している場合は、中空部２８内の補強材４２が面材保持金具３８の回転を規制することができず、一体となって回転し、複層ガラス２６が脱落する懸念がある。
【００４８】
これに対し、当該建具１０では、図３に示すように補強金具５０で補強材４２の面材側部位である突出板部４２ａと補強材４３とを繋いでいる。このため、例えば建具１０が室外側からの火災に晒されて、図９に示すように複層ガラス２６が室外側に反り変形し、面材保持金具３８と共に補強材４２が回転しようとした場合であっても、この回転が補強金具５０によって規制される。すなわち、補強材４２と共に補強金具５０に回転力が付与されたとしても、補強金具５０は補強材４２，４３間に繋がっており且つ補強材４２に対しては開口溝３０側の面材側部位に連結されているため回転することが防止される。その結果、補強材４２及び面材保持金具３８の回転も規制されるため、複層ガラス２６の脱落を防止することができ、高い防火性能を確保できる。
【００４９】
具体的には、当該建具１０では、補強金具５０は、一端部５０ａが補強材４２の面材側部位である突出板部４２ａに連結ねじ５４で締結固定され、他端部５０ｂが補強材４３に係合支持されている。このため、仮に補強材４２からの回転力を補強金具５０が受けた場合であっても、補強金具５０は他端部５０ｂが補強材４３の傾斜板部４３ｅに係止されてその回転が規制される。勿論、他端部５０ｂについても補強材４３にねじ止め固定してもよいが、本実施形態のような係合構造の方が補強金具５０の設置が容易となり、作業性が向上する。
【００５０】
当該建具１０では、框体２４は、補強材４２が挿入された中空部（第１中空部）２８と、補強材４３が挿入された中空部（第２中空部）２９とを備える。このため、例えば建具１０の室外側で火災等が生じた場合、室内側の中空部２９付近の温度はあまり上昇せず、その形状が比較的長時間保持される。このため、中空部２９内の補強材４３は長時間にわたって位置決め保持された状態となるため、補強金具５０を安定して保持しておくことができる。
【００５１】
ところで、補強金具５０は２つの補強材４２，４３間を連結し、面材保持金具５０の回転を防止できるものであればその形状は変更してもよい。例えば、図１０及び図１１に示す補強金具６０は、一端部５０ａと他端部５０ｂとの間が直角に屈曲されたＬ字形状である。この補強金具６０の場合には、例えば補強材４３の係合孔４３ｆを通した他端部５０ｂが連結板部４３ｃの開口溝３０側とは反対側の面に当接支持されることで、その回転が規制される。勿論、補強金具は、補強金具５０，６０以外の形状、例えば平板でもよい。
【００５２】
なお、補強金具５０，６０のように、他端部５０ｂを補強材４３に係合させる構成とする場合は、他端部５０ｂが一端部５０ａよりも框体２４の内周側位置、複層ガラス２６の面内方向で一端部５０ａよりも複層ガラス２６に近接した位置で補強材４３に係止されることが好ましい。これにより、補強金具５０，６０の回転をより確実に規制することができる。
【００５３】
なお、本発明は、上記した実施形態に限定されるものではなく、本発明の主旨を逸脱しない範囲で自由に変更できることは勿論である。
【００５４】
上記実施形態では、上下の横材である上框２４ａ及び下框２４ｂと、左右の縦材である縦框２４ｃ，２４ｄとで、より長手方向長さ（開口溝３０の長さ）が長く、複層ガラス２６の反り変形の影響が大きい縦框２４ｃ，２４ｄに補強金具５０，６０を設置した構成を例示した。しかしながら、補強金具５０，６０は縦框２４ｃ，２４ｄと共に、又は縦框２４ｃ，２４ｄに代えて上框２４ａ及び下框２４ｂにも設けてもよい。但し、横材と縦材とで複層ガラス２６を保持する開口溝３０の長さが異なる場合には、補強金具５０，６０は少なくとも横材及び縦材のうちで開口溝３０が長い一方に配設されることが好ましい。
【００５５】
上記実施形態では、縦すべり出し窓の建具１０を例示したが、本発明はすべり出し窓や引違い窓等の各種の開閉窓や開閉扉、さらには嵌め殺し窓にも適用可能である。なお、躯体１２に固定された枠部材である開口枠１４に直接的に複層ガラス２６を支持する構成の嵌め殺し窓の場合は、例えばこの開口枠１４の上枠１４ａ及び下枠１４ｂ、又は、縦枠１４ｃ，１４ｄに補強金具５０，６０を設置すればよい。
【００５６】
上記実施形態では、面材保持金具３８と固定された補強材４２と、補強材４３との間を補強金具５０，６０で連結した構成を例示したが、補強金具５０，６０の他端部５０ｂは補強材４３に代えて引寄せ金具（第２補強材）４４やロック金具（第２補強材）４８に連結されてもよい。
【符号の説明】
【００５７】
１０  建具、１２  躯体、１２ａ  開口部、１４  開口枠、１４ａ  上枠、１４ｂ  下枠、１４ｃ，１４ｄ  縦枠、１６  障子、２２，３４，３５，４２，４３  補強材、２３  熱膨張性部材、２４  框体、２４ａ  上框、２４ｂ  下框、２４ｃ，２４ｄ  縦框、２６  複層ガラス、２６ａ，２６ｂ  ガラス板、２８，２９  中空部、３０  開口溝、３８  面材保持金具、３９，４６，５４  連結ねじ、４２ａ，４２ｂ，４３ａ，４３ｂ  突出板部、４２ｃ，４３ｃ，４３ｄ  連結板部、４３ｅ  傾斜板部、４３ｆ  係合孔、４４  引寄せ金具、４８  ロック金具、５０，６０  補強金具、５０ａ  一端部、５０ｂ  他端部、５２ａ〜５２ｃ  開口
【図１】
0006674310.tif 000002
【図２】
0006674310.tif 000003
【図３】
0006674310.tif 000004
【図４】
0006674310.tif 000005
【図５】
0006674310.tif 000006
【図６】
0006674310.tif 000007
【図７】
0006674310.tif 000008
【図８】
0006674310.tif 000009
【図９】
0006674310.tif 000010
【図１０】
0006674310.tif 000011
【図１１】
0006674310.tif 000012